(57)【要約】【課題】色補正プロファイルによる色補正の精度結果を容易に知ることが可能な色補正プロファイル生成装置、色補正プロファイル生成方法及び色補正プロファイル生成プログラムを提供する。【解決手段】色補正プロファイル生成装置は、対象印刷装置がカラーチャートデータに基づいて印刷した対象カラーチャートの各印刷色を測色機で測色した対象測色値を取得する取得手段と、基準測色値と対象測色値とを比較し、比較した結果に基づいて対象印刷装置の印刷色を補正するための色補正プロファイルを生成する生成手段と、対象印刷装置が色補正プロファイルを適用し、カラーチャートデータに基づいて印刷した補正カラーチャートの各印刷色を測色機で測色した補正測色値と、基準測色値とを比較し、比較した結果から色補正プロファイルによる色補正の精度を算出する算出手段と、色補正プロファイルによる色補正の精度を出力する出力手段とを備える。【選択図】図１
2008060637.tif 000002
【特許請求の範囲】
【請求項１】
カラーチャートデータと、基準となる基準印刷装置が前記カラーチャートデータに基づいて印刷した基準カラーチャートの各印刷色を測色機で測色した基準測色値とを記憶する記憶手段と、
対象となる対象印刷装置が前記カラーチャートデータに基づいて印刷した対象カラーチャートの各印刷色を測色機で測色した対象測色値を前記測色機から取得する取得手段と、
前記基準測色値と前記対象測色値とを同一の色空間で比較し、前記比較した結果に基づいて前記対象印刷装置の印刷色を補正するための色補正プロファイルを生成する生成手段と、
前記対象印刷装置が前記色補正プロファイルを適用し、前記カラーチャートデータに基づいて印刷した補正カラーチャートの各印刷色を前記測色機で測色した補正測色値と、前記基準測色値とを前記色空間で比較し、前期比較した結果から前記色補正プロファイルによる色補正の精度を算出する算出手段と、
前記色補正プロファイルによる色補正の精度を出力する出力手段と、
を備えることを特徴とする色補正プロファイル生成装置。
【請求項２】
請求項１に記載の色補正プロファイル生成装置において、
前記基準測色値と前記対象測色値とを比較した結果に基づいて前記色補正プロファイルの補正精度を推測する推測手段と、
推測した前記補正精度を出力する第２の出力手段とを更に備えることを特徴とする色補正プロファイル生成装置。
【請求項３】
請求項１乃至２のいずれかに記載の色補正プロファイル生成装置において、
前記カラーチャートデータを構成する各画素値は、それぞれ前記基準印刷装置及び前記対象印刷装置が有する複数の色材のうちいずれか１つの色材のみで印刷される色を表すことを特徴とする色補正プロファイル生成装置。
【請求項４】
請求項１乃至３のいずれか１項に記載の色補正プロファイル生成装置において、
前記同一の色空間は、ＣＩＥ  Ｌ＊ａ＊ｂ＊色空間であることを特徴とする色補正プロファイル生成装置。
【請求項５】
請求項１乃至４のいずれか１項に記載の色補正プロファイル生成装置において、
前記出力手段は、前記色補正プロファイルによる色補正の精度を表示手段に表示させることを特徴とする色補正プロファイル生成装置。
【請求項６】
請求項５に記載の色補正プロファイル生成装置において、
前記表示手段は、前記色補正プロファイルによる色補正の精度を、少なくとも緑色、黄色および赤色の何れかの色に対応付けて表示することを特徴とする色補正プロファイル生成装置。
【請求項７】
請求項６に記載の色補正プロファイル生成装置において、
前記表示手段は、前記それぞれの色を表す領域を直列に配置し、前記色補正プロファイルによる色補正の精度を、前記配置された領域の何れかの位置に対応付けて表示することを特徴とする色補正プロファイル生成装置。
【請求項８】
請求項７に記載の色補正プロファイル生成装置において、
前記それぞれの色を表す領域のうち、前記色補正プロファイルによる色補正の精度が優良として対応付けられた領域は、他の領域と比較して広域であることを特徴とする色補正プロファイル生成装置。
【請求項９】
カラーチャートデータと、基準となる基準印刷装置が前記カラーチャートデータに基づいて印刷した基準カラーチャートの各印刷色を測色機で測色した基準測色値とを記憶する記憶工程と、
対象となる対象印刷装置が前記カラーチャートデータに基づいて印刷した対象カラーチャートの各印刷色を測色機で測色した対象測色値を前記測色機から取得する取得工程と、
前記基準測色値と前記対象測色値とを同一の色空間で比較し、前記比較した結果に基づいて前記対象印刷装置の印刷色を補正するための色補正プロファイルを生成する生成工程と、
前記対象印刷装置が前記色補正プロファイルを適用し、前記カラーチャートデータに基づいて印刷した補正カラーチャートの各印刷色を前記測色機で測色した補正測色値と、前記基準測色値とを前記色空間で比較し、前期比較した結果から前記色補正プロファイルによる色補正の精度を算出する算出工程と、
前記色補正プロファイルによる色補正の精度を出力する出力工程と、
を備えることを特徴とする色補正プロファイル生成方法。
【請求項１０】
カラーチャートデータと、基準となる基準印刷装置が前記カラーチャートデータに基づいて印刷した基準カラーチャートの各印刷色を測色機で測色した基準測色値とを記憶する記憶機能と、
対象となる対象印刷装置が前記カラーチャートデータに基づいて印刷した対象カラーチャートの各印刷色を測色機で測色した対象測色値を前記測色機から取得する取得機能と、
前記基準測色値と前記対象測色値とを同一の色空間で比較し、前記比較した結果に基づいて前記対象印刷装置の印刷色を補正するための色補正プロファイルを生成する生成機能と、
前記対象印刷装置が前記色補正プロファイルを適用し、前記カラーチャートデータに基づいて印刷した補正カラーチャートの各印刷色を前記測色機で測色した補正測色値と、前記基準測色値とを前記色空間で比較し、前期比較した結果から前記色補正プロファイルによる色補正の精度を算出する算出機能と、
前記色補正プロファイルによる色補正の精度を出力する出力機能と、
をコンピュータに実行させることを特徴とする色補正プロファイル生成プログラム。
【発明の詳細な説明】
【技術分野】
【０００１】
本発明は、色補正プロファイル生成装置、色補正プロファイル生成方法及び色補正プロファイル生成プログラムに関する。
【背景技術】
【０００２】
従来、プリンタなどの印刷装置は経年特性変動によって色再現性が劣化することが知られている。また、印刷装置は経年特性変動のない状態であっても個体差によって色再現性が異なることが知られている。例えば色再現性が劣化していない基準プリンタと色再現性が劣化している対象プリンタとがあるとする。この場合、基準プリンタでカラーチャートデータを印刷した基準カラーチャートを測色機で測色した基準測色値と、対象プリンタで同じカラーチャートデータを印刷した対象カラーチャートを測色機で測色した対象測色値とを比較し、比較した結果に基づいて対象プリンタの印刷色を補正するための色補正プロファイルを生成することにより、対象プリンタの色再現性を補正できる（例えば、特許文献１参照。）。
【０００３】
ところで、一般に色補正プロファイルを生成した場合、ユーザは生成した色補正プロファイルを用いることによってどの程度正確に色を補正できるかを確認する。言い換えると、ユーザは色補正プロファイルの補正精度を確認している。補正精度の確認は、前述したカラーチャートデータに色補正プロファイルを適用して対象プリンタで対象カラーチャートを再印刷し、再印刷した対象カラーチャートを測色機で測色し、測色した対象測色値を基準測色値と比較することによって行っている。
【０００４】
【特許文献１】特開２００３−２９１３２７号公報
【発明の開示】
【発明が解決しようとする課題】
【０００５】
しかしながら、上述した確認方法によると、正確な色補正の精度は不要で、おおよその色補正の精度を確認した場合であっても、各色ごとに測色された測色値を取得し、基準測色値との差分をそれぞれ算出し、これらの平均を取得する等の数値演算の処理が必要になるため、色補正の精度の確認に手間と時間がかかるという問題があった。
【課題を解決するための手段】
【０００６】
上記した課題を解決するために、本発明の色補正プロファイル生成装置は、カラーチャートデータと、基準となる基準印刷装置が前記カラーチャートデータに基づいて印刷した基準カラーチャートの各印刷色を測色機で測色した基準測色値とを記憶する記憶手段と、対象となる対象印刷装置が前記カラーチャートデータに基づいて印刷した対象カラーチャートの各印刷色を測色機で測色した対象測色値を前記測色機から取得する取得手段と、前記基準測色値と前記対象測色値とを同一の色空間で比較し、前記比較した結果に基づいて前記対象印刷装置の印刷色を補正するための色補正プロファイルを生成する生成手段と、前記対象印刷装置が前記色補正プロファイルを適用し、前記カラーチャートデータに基づいて印刷した補正カラーチャートの各印刷色を前記測色機で測色した補正測色値と、前記基準測色値とを前記色空間で比較し、前期比較した結果から前記色補正プロファイルによる色補正の精度を算出する算出手段と、前記色補正プロファイルによる色補正の精度を出力する出力手段と、を備えることを特徴とする。
この発明によれば、生成された色補正プロファイルを適用して印刷した補正測色値と基準測色値との比較により、色補正の精度が算出されて出力されるので、ユーザは、それぞれの測色値をユーザ自身が取得して演算処理することなく、生成した色補正プロファイルの補正精度を出力結果から容易かつ迅速に知ることができる。
【０００７】
本発明の色補正プロファイル生成装置は、前記基準測色値と前記対象測色値とを比較した結果に基づいて前記色補正プロファイルの補正精度を推測する推測手段と、推測した前記補正精度を出力する第２の出力手段とを更に備えることが好ましい。
この発明によれば、補正精度を推測して出力するので、ユーザは、生成した色補正プロファイルの補正精度を、対象カラーチャートを再印刷することなく知ることができる。
【０００８】
本発明の色補正プロファイル生成装置では、前記カラーチャートデータを構成する各画素値は、それぞれ前記基準印刷装置及び前記対象印刷装置が有する複数の色材のうちいずれか１つの色材のみで印刷される色を表すことが好ましい。
この発明によれば、１つの色材のみで印刷される色（単色）を用いて色補正プロファイルを生成すると、混色を用いて生成する場合に比べて色補正プロファイルのデータ量を低減できる上、生成に要する時間を短縮できる。
【０００９】
本発明の色補正プロファイル生成装置では、前記同一の色空間は、ＣＩＥ  Ｌ＊ａ＊ｂ＊色空間であることが好ましい。
この発明によれば、ＣＩＥ  Ｌ＊ａ＊ｂ＊色空間は均等色空間なので、人が知覚する２つの色の差（色差）を２つの色の距離で表現できる。
【００１０】
本発明の色補正プロファイル生成装置では、前記出力手段は、前記色補正プロファイルによる色補正の精度を表示手段に表示させることが好ましい。
この発明によれば、色補正プロファイルによる色補正の精度を表示手段に表示することにより、ユーザは、色補正プロファイルによる色補正の精度を容易に知ることができる。
【００１１】
本発明の色補正プロファイル生成装置では、前記表示手段は、前記色補正プロファイルによる色補正の精度を、少なくとも緑色、黄色および赤色の何れかの色に対応付けて表示することが好ましい。
この発明によれば、色補正プロファイルによる色補正の精度を色で対応付けて表示することにより、ユーザは色補正の精度を色により視認できる。
【００１２】
本発明の色補正プロファイル生成装置では、前記表示手段は、前記それぞれの色を表す領域を直列に配置し、前記色補正プロファイルによる色補正の精度を、前記配置された領域の何れかの位置に対応付けて表示しても良い。
【００１３】
本発明の色補正プロファイル生成装置では、前記それぞれの色を表す領域のうち、前記色補正プロファイルによる色補正の精度が優良として対応付けられた領域は、他の領域と比較して広域であることが好ましい。
この発明によれば、それぞれの色補正の精度が優良な複数の色補正プロファイルを詳細に比較できる。
【００１４】
上記した課題を解決するために、本発明の色補正プロファイル生成方法は、カラーチャートデータと、基準となる基準印刷装置が前記カラーチャートデータに基づいて印刷した基準カラーチャートの各印刷色を測色機で測色した基準測色値とを記憶する記憶工程と、対象となる対象印刷装置が前記カラーチャートデータに基づいて印刷した対象カラーチャートの各印刷色を測色機で測色した対象測色値を前記測色機から取得する取得工程と、前記基準測色値と前記対象測色値とを同一の色空間で比較し、前記比較した結果に基づいて前記対象印刷装置の印刷色を補正するための色補正プロファイルを生成する生成工程と、前記対象印刷装置が前記色補正プロファイルを適用し、前記カラーチャートデータに基づいて印刷した補正カラーチャートの各印刷色を前記測色機で測色した補正測色値と、前記基準測色値とを前記色空間で比較し、前期比較した結果から前記色補正プロファイルによる色補正の精度を算出する算出工程と、前記色補正プロファイルによる色補正の精度を出力する出力工程と、を備えることを特徴とする。
この発明によれば、生成された色補正プロファイルを適用して印刷した補正測色値と基準測色値との比較により、色補正の精度が算出されて出力されるので、ユーザは、それぞれの測色値をユーザ自身が取得して演算処理することなく、生成した色補正プロファイルの補正精度を出力結果から容易かつ迅速に知ることができる。
【００１５】
上記した課題を解決するために、本発明の色補正プロファイル生成プログラムは、カラーチャートデータと、基準となる基準印刷装置が前記カラーチャートデータに基づいて印刷した基準カラーチャートの各印刷色を測色機で測色した基準測色値とを記憶する記憶機能と、対象となる対象印刷装置が前記カラーチャートデータに基づいて印刷した対象カラーチャートの各印刷色を測色機で測色した対象測色値を前記測色機から取得する取得機能と、前記基準測色値と前記対象測色値とを同一の色空間で比較し、前記比較した結果に基づいて前記対象印刷装置の印刷色を補正するための色補正プロファイルを生成する生成機能と、前記対象印刷装置が前記色補正プロファイルを適用し、前記カラーチャートデータに基づいて印刷した補正カラーチャートの各印刷色を前記測色機で測色した補正測色値と、前記基準測色値とを前記色空間で比較し、前期比較した結果から前記色補正プロファイルによる色補正の精度を算出する算出機能と、前記色補正プロファイルによる色補正の精度を出力する出力機能と、をコンピュータに実行させることを特徴とする。
この発明によれば、生成された色補正プロファイルを適用して印刷した補正測色値と基準測色値との比較により、色補正の精度が算出されて出力されるので、ユーザは、それぞれの測色値をユーザ自身が取得して演算処理することなく、生成した色補正プロファイルの補正精度を出力結果から容易かつ迅速に知ることができる。
【発明を実施するための最良の形態】
【００１６】
以下、本発明の実施の形態を図面に基づいて説明する。
（実施形態）
【００１７】
図２は、本発明の一実施形態に係る色補正プロファイル生成装置としてのパーソナルコンピュータ（ＰＣ）１０、対象印刷装置としての対象プリンタ１１、対象プリンタ１１がカラーチャートデータに基づいて印刷した対象カラーチャート４７を測色する測色機１２、基準印刷装置としての基準プリンタ１３、および基準プリンタ１３がカラーチャートデータに基づいて印刷した基準カラーチャート４６を測色する測色機１４を示す模式図である。対象プリンタ１１と基準プリンタ１３とは同一機種であり、基準プリンタ１３および対象プリンタ１１は色材としてＣ（シアン）、Ｍ（マゼンタ）、Ｙ（イエロー）およびＫ（ブラック）の４色のインクを備えている。なお、インクの種類はこれに限られるものではなく、６色や７色のインクを備えていてもよい。
【００１８】
図３は、ＰＣ１０のハードウェア構成を示すブロック図である。ＰＣ１０は、ＣＰＵ２１、ＲＯＭ２２、ＲＡＭ２３、ディスプレイコントローラ２４、インタフェース部２５、リムーバブルメモリコントローラ（ＲＭＣ）２６、外部記憶部２７、および操作部２８を備え、これらはバス３０で相互に接続されている。
【００１９】
ＣＰＵ２１はＲＯＭ２２や外部記憶部２７に記憶されているプログラムを実行してＰＣ１０の全体を制御する。また、ＣＰＵ２１は色補正プロファイル生成プログラムを実行することによってＰＣ１０を記憶手段、取得手段、生成手段、算出手段および出力手段として機能させる。ＲＯＭ２２は各種のプログラムやデータを予め記憶しているメモリであり、ＲＡＭ２３は各種のプログラムやデータを一時的に記憶するメモリである。これら各種のプログラムやデータは所定のサーバから通信ネットワークを介してダウンロードして入力してもよいし、リムーバブルメモリなどから読み出して入力してもよい。
【００２０】
出力手段としてのディスプレイコントローラ２４は、ＣＰＵ２１に制御され、表示装置としてのＣＲＴ（Ｃａｔｈｏｄｅ  Ｒａｙ  Ｔｕｂｅ）、ＬＣＤ（Ｌｉｑｕｉｄ  Ｃｒｙｓｔａｌ  Ｄｉｓｐｌａｙ）、ＦＰＤ（Ｆｌａｔ  Ｐａｎｅｌ  Ｄｉｓｐｌａｙ）などのディスプレイ３１に各種の情報を表示させる。
【００２１】
取得手段としてのインタフェース部２５は、分光光度計などの測色機１２や対象プリンタ１１などの外部システムと通信するためのＵＳＢコントローラ、ＵＳＢコネクタなどを備える。通信規格はＵＳＢに限らず、ＩＥＥＥ１３９４、赤外線、イーサネット（登録商標）などのいかなる規格でもよい。
【００２２】
取得手段としてのＲＭＣ２６は、図示しないコネクタを介してリムーバブルメモリに接続され、リムーバブルメモリとＲＡＭ２３との間でデータ転送を制御する。リムーバブルメモリはカード型フラッシュメモリ（所謂メモリカード）でもよいし、その他の繰り返し書き込み可能ないかなる不揮発性記憶媒体であってもよい。
【００２３】
記憶手段としての外部記憶部２７は、ハードディスクやハードディスクコントローラなどで構成され、オペレーティングシステム（ＯＳ）、色補正プロファイル生成プログラム、基準プリンタ１３がカラーチャートデータに基づいて印刷した基準カラーチャート４６を測色機１４で測色した基準測色値、基準プリンタ１３が基準カラーチャート４６の印刷に用いたカラーチャートデータと同じカラーチャートデータ、ｓＲＧＢ色空間で表されているディジタル画像をＣＭＹＫ色空間に分版するための３次元ルックアップテーブル（３ＤＬＵＴ）、その他各種のプログラムやデータなどが記憶されている。基準測色値は例えば基準プリンタ１３の製造元で生成され、生成された基準測色値は対象プリンタ１１に添付されて配布されても良く、あるいは通信ネットワークを介したダウンロードによってＰＣ１０に配布されても良い。
【００２４】
操作部２８は、キーボード２９が接続されるキーボードコントローラや図示しないマウスが接続されるマウスコントローラなどで構成されている。
【００２５】
尚、本発明に備わる各機能は、構成自体で機能が特定されるハードウェア資源、プログラムにより機能が特定されるハードウェア資源、又はそれらの組み合わせにより実現される。また、これらの各機能は、各々が物理的に互いに独立したハードウェア資源で実現されるものに限定されない。
【００２６】
次に、カラーチャートデータについて説明する。図４は、カラーチャートデータに基づいて印刷されたカラーチャートを示す模式図である。カラーチャートは複数の色を表す画像であり、図中の複数の枠４１はそれぞれＣＭＹＫいずれか１インクのみで塗り潰されている。枠４１内には当該枠に印刷されている色（印刷色）の印刷に用いられた画素値（Ｃ，Ｍ，Ｙ，Ｋ）を示している。例えば図４に示すＣ列に含まれている複数の印刷色はＣインクのみを用いて印刷されている色であり、Ｃ列に印刷されている色の印刷に用いられた画素値はＣ成分の階調値が１０，２０，・・・、２５０のように１０間隔で変化するように設定されている。Ｃ列の画素値はいずれも図示するようにＭ成分、Ｙ成分およびＫ成分の階調値に０が設定されている。Ｍ列、Ｙ列およびＫ列についても同様である。
【００２７】
次に、色再現性の補正について説明する。図５（Ａ）は基準プリンタ１３による印刷を示す模式図であり、図５（Ｂ）は対象プリンタ１１による補正前の印刷を示す模式図であり、図５（Ｃ）は対象プリンタ１１による補正後の印刷を示す模式図である。図示する例のカラーチャートデータ４５にはカラーチャートの第ｎ領域に印刷される色の画素値として（１０，０，０，０）が設定され、カラーチャートの第ｍ領域に印刷される色の画素値として（２０，０，０，０）が設定され、第ｐ領域に印刷される色の画素値として（３０，０，０，０）が設定されている。図５（Ａ）に示すようにカラーチャートデータ４５を基準プリンタ１３で印刷した場合、基準カラーチャート４６の第ｎ領域には濃いシアンが印刷され、第ｍ領域には中濃度のシアンが印刷され、第ｐ領域には薄いシアンが印刷されるとする。
【００２８】
図５（Ｂ）に示すようにカラーチャートデータ４５を対象プリンタ１１で印刷した場合、経年特性変動による色再現性の劣化などによって色ズレが生じ、対象カラーチャート４７の第ｎ領域には上述した色とは異なる別の色が印刷され、第ｍ領域には濃いシアンが印刷され、第ｐ領域には中濃度のシアンが印刷され、薄いシアンは図示しない別の領域に印刷されるとする。図５（Ｂ）に示すような色ズレが生じている場合、その色ズレを補正するには、例えば第ｎ領域の場合であれば対象プリンタ１１で印刷するとき第ｎ領域に印刷される色の画素値である（１０，０，０，０）を（２０，０，０，０）に置換すればよい。図５（Ｃ）に示すように（１０，０，０，０）を（２０，０，０，０）に置換して印刷すれば、対象プリンタ１１で印刷した対象カラーチャート４８にも第ｎ領域に濃いシアンが印刷される。
【００２９】
すなわち、カラーチャートデータ４５に限らずＣＭＹＫ色空間で表されているディジタル画像を対象プリンタ１１で印刷するとき、そのディジタル画像に（１０，０，０，０）という画素値が含まれていればそれを全て（２０，０，０，０）に置換することにより、濃いシアンについて色ズレなく印刷できることになる。同様に（２０，０，０，０）という画素値が含まれていればそれを全て（３０，０，０，０）に置換することにより、中濃度のシアンについて色ズレなく印刷できることになる。薄いシアンについてもそれが印刷されている領域を見つけ、ディジタル画像に含まれている（３０，０，０，０）という画素値を当該見つけた領域に印刷される色の画素値（Ｃｘ，Ｍｘ，Ｙｘ，Ｋｘ）に置換することにより、薄いシアンについて色ズレなく印刷できることになる。他の全ての色についても同様である。
【００３０】
上記したように、色再現性を補正するには、基準プリンタ１３で印刷した基準カラーチャート４６と対象プリンタ１１で印刷した対象カラーチャート４７とを比較することによりカラーチャートデータの各画素値について置換すべき画素値を特定し、対象プリンタ１１でディジタル画像を印刷するとき当該ディジタル画像を構成する各画素値を対応付けに従って置換すればよいことになる。
【００３１】
上述した比較は、具体的には基準カラーチャート４６を測色機１４で測色した基準測色値と対象カラーチャート４７を測色機１２で測色した対象測色値とを同一の色空間で比較することによって行う。本実施形態では測色機１２および測色機１４はＣＩＥ  Ｌ＊ａ＊ｂ＊色空間で表現されている測色値（Ｌ，ａ，ｂ）を出力するものとする。例えば、基準プリンタ１３で画素値（１０，０，０，０）を印刷した印刷色の測色値（Ｌ１，ａ１，ｂ１）と対象プリンタ１１で画素値（２０，０，０，０）を印刷した印刷色の測色値（Ｌ２，ａ２，ｂ２）とが一致したとする。この場合、画素値（１０，０，０，０）に画素値（２０，０，０，０）を対応付けることにより、基準プリンタ１３で画素値（１０，０，０，０）を印刷した場合の印刷色と完全に同じ印刷色を対象プリンタ１１で印刷できる。
【００３２】
しかしながら、一致する測色値が見つかることはまれであり、ほとんどないといってよい。そこで、本実施形態では基準カラーチャート４６の各印刷色について、当該印刷色の印刷に用いた画素値に、対象カラーチャート４７の印刷色のうち当該印刷色との色差が最も小さい印刷色の印刷に用いた画素値を対応付ける。ここで色差とはＬ＊ａ＊ｂ＊色空間における２つの色間の距離であり、均等色空間であるＬ＊ａ＊ｂ＊色空間では人が知覚する２つの色の差を距離で表すことができる。色差ΔＥ（ＣＩＥ  ΔＥ１９９４）は下記（１）式によって求めることができる。
【００３３】
【数１】
2008060637.tif 000003
【００３４】
ただし、色差が最も小さい印刷色の印刷に用いた画素値を対応付けるようにすると、小さいとは言え、その色差に応じた色ズレが残るので、補正精度は低下する。ここで補正精度とは、カラーチャートデータ４５の画素値を対応付けに従い置換して対象プリンタ１１で再印刷した対象カラーチャートの各印刷色について、当該印刷色を測色した測色値と基準カラーチャートにおいて当該印刷色と同じ領域に印刷されている印刷色を測色した基準測色値との色差を平均した値のことをいうものとする。補正精度をこのように定義した場合、補正精度は上述した対応付けの際に色毎に求められる「最も小さい色差」を平均した値に概ね比例する。すなわち、対応付けの際に求められる色差を用いることで、補正精度を推測しても良い。
【００３５】
次に、色補正テーブルを生成する処理について説明する。色補正テーブルは、前記したように異なる画素値をそれぞれ対応付けるためのテーブルであり、本実施形態では色補正テーブルとして予め生成されている。図６は、色補正テーブルを生成する処理の流れを示すフローチャートである。
Ｓ１０５では、ＣＰＵ２１はカラーチャートデータに基づいて対象プリンタ１１で対象カラーチャートを印刷する。
Ｓ１１０では、ＣＰＵ２１は測色機１２で対象カラーチャートを測色した対象測色値を入力する。具体的には、ユーザは印刷された対象カラーチャートを測色機１２で測色し、ＣＰＵ２１はリムーバブルメモリや通信ケーブルなどを介して測色機１２から対象測色値を取得する。
【００３６】
Ｓ１１５では、ＣＰＵ２１はＨＤＤに記憶されているカラーチャートデータと、Ｓ１１０で入力された対象測色値と、ＨＤＤに記憶されている基準測色値とを対応付ける測色値テーブルをＣＭＹＫ各成分についてそれぞれ生成する。以下にＣ成分の測色値テーブルの例を示す。
図７は、Ｃ成分の測色値テーブルの一例を示す模式図である。測色値テーブルの第一列には図４に示すＣ列の各画素値が格納されており、第２列には第１列の画素値を用いて基準プリンタ１３で印刷した印刷色を測色機１４で測色した基準測色値が格納されている。
第３列には第１列の画素値を用いて対象プリンタ１１で印刷した印刷色を測色機１２で測色した対象測色値が格納されている。
【００３７】
Ｓ１２０では、ＣＰＵ２１は各測色値テーブルに基づいて成分毎の色補正テーブルを生成する。具体的には、ＣＰＵ２１は測色値テーブルから１行選択し、選択した行の第２列に格納されている基準測色値と第３列に格納されている全ての対象測色値との色差を求める。次に、ＣＰＵ２１は選択した行の第１列に格納されている画素値の当該測色値テーブルに対応する成分の階調値と、色差が最も小さい対象測色値が格納されている行の第１列に格納されている画素値の当該測色値テーブルに対応する成分の階調値とを対応付けて図８に示す色補正テーブルに格納する。Ｃ成分をより具体的に説明すると、例えば図７に示す測色値テーブルの第２行の場合、第３列に格納されている対象測色値のうち第２行の第２列に格納されている基準測色値との色差が最も小さい対象測色値は第４行の対象測色値であるとする。この場合、第２行の第１列に格納されている画素値のＣ成分の階調値と第４行の第１列に格納されている画素値のＣ成分の階調値とを対応付けて図８に示すように色補正テーブルに格納する。色補正テーブルは特許請求の範囲に記載の「色補正プロファイル」に相当する。
【００３８】
色補正テーブルを生成する処理において、ＣＰＵ２１は各測色値テーブルの行毎に求めた「最も小さい色差」を図９に示すようにＲＡＭ２３に記憶する。
Ｓ１２５では、ＣＰＵ２１は色再現性の補正精度を推測する。具体的には例えば、ＣＰＵ２１は全ての色差の平均値を求めることによって補正精度を推測する。なお、ＣＰＵ２１は色差の平均値を色成分毎に求めてもよい。
【００３９】
Ｓ１３０では、ＣＰＵ２１は推測した補正精度を出力する。具体的には例えば、ＣＰＵ２１は図９に示すように低〜高を表す目盛を有する補正精度予測画面５０をディスプレイ３１に表示し、色差の平均値に応じた位置に指針５１を表示する。目盛の右端は色差の平均値が０であることを示しており、左端にいくほど色差の平均値が大きくなることを示している。目盛の赤色、黄色および青色は、信号機の色に対応しており、色差の平均値に応じた位置に指針５１を示すことにより、ユーザはおおよその補正精度を知ることができる。なお、色差の平均値は成分毎の平均値であってもよく、その場合は図９に示す補正精度予測画面５０を成分毎に表示すればよい。
【００４０】
次に、色補正テーブルを用いた色補正について説明する。図１０は、色補正テーブルを用いた色補正の流れを示すフローチャートである。Ｓ２０５では、ＣＰＵ２１はｓＲＧＢ色空間で表現されている印刷対象のディジタル画像を３次元ルックアップテーブル（３ＤＬＵＴ）を参照してＣＭＹＫ色空間に分版する。
【００４１】
Ｓ２１０では、ＣＭＹＫ色空間に分版されたディジタル画像の色を色補正テーブルに基づいて補正する。具体的には、ＣＰＵ２１はディジタル画像を構成する各画素値について、当該画素値を構成するＣＭＹＫ各成分の階調値をそれぞれ対応する色補正テーブルを参照して置換する。例えばＣ成分の階調値が「１０」であったとすると、Ｃ成分の色補正テーブルを参照して「２０」に置換する。ただし、カラーチャートデータでは階調値が１０間隔で選択されているので各階調値に対応する階調値が色補正テーブル内に存在しない場合もある。その場合は直線補間や曲線補間などで色補正テーブルを適宜補間して置換先の階調値を取得すればよい。次に、Ｓ２１５では、ＣＰＵ２１はＳ２１０での補正に基づき、対象カラーチャートを対象プリンタ１１に印刷させる。
【００４２】
Ｓ２２０では、ＣＰＵ２１は印刷された対象カラーチャートを測色機１２で測色して対象色値を取得する。具体的には、ユーザは、印刷された対象カラーチャートを測色機１２で測色する。
【００４３】
Ｓ２２５では、ＣＰＵ２１は対象測色値と基準測色値から、色補正テーブルによる色補正の精度を算出する。具体的には、ＣＰＵ２１が機能する算出手段は、色補正テーブルに従い対象プリンタ１１で実際に再印刷した対象カラーチャートの各印刷色について、当該印刷色を測色した測色値と基準カラーチャートにおいて当該印刷色と同じ領域に印刷されている印刷色を測色した基準測色値との色差を平均した値を、色補正テーブルによる色補正の精度として算出する。即ち、前記した色補正テーブルを生成する処理と同様に、「最も小さい色差」を各測色値テーブルの行毎に求めてＲＡＭ２３に記憶し、ＲＡＭ２３に記憶された色差の平均値を算出することで、色補正の精度を算出する。
【００４４】
Ｓ２３０では、ＣＰＵ２１は算出した色補正の精度を出力する。具体的には、図１に示すように、「優良」〜「注意」〜「不良」を表す領域を有する色補正の精度画面６０がディスプレイ３１に表示され、色差の平均値に応じた位置に指針６１が表示される。目盛の右端は、色差の平均値が０であることを示しており、左端にいくほど色差の平均値が大きくなることを示している。領域の内部は、予め設定された色差の平均値に関する良否判定の基準値で区切られると共に、それぞれの内部は、赤色、黄色および青色で塗り潰されている。これらの色は、色補正テーブルによる色補正の精度に対応付けられていると共に、信号機の色に対応しているため、色差の平均値に応じた位置に指針６１を示すことにより、ユーザは、おおよその色補正の精度を視覚的に知ることができる。尚、塗り潰す色は、赤色、黄色および青色の３色に限定されず、また、他の色が更に追加されても良い。また、色補正テーブルによる色補正の精度が「優良」を示す青色の領域内部では、色差の平均値を詳細に表示すべく、この青色の領域を赤色の領域や黄色の領域と比較して広域に表示しても良い。更に、算出した色差の平均値が、色補正の精度として「注意」（黄色領域）および「不良」（赤色領域）を示す場合、ユーザに対してより視覚的に知らせるべく、指針６１は、色差の平均値に依存せず、それぞれの領域の略中央部分を指示しても良い。また、補正精度予測画面５０と色補正の精度画面６０は、同一の様態でも良い。
【００４５】
以上説明した本発明の実施形態に係る色補正プロファイル生成装置によると、色補正テーブルによる色補正の精度は、ディスプレイ３１上に色で指示されるため、ユーザは、生成した色補正プロファイルの色補正の精度のレベルを視認できる。
【００４６】
なお、本実施形態では、１インクで印刷される単色のみを用いて色補正プロファイルを生成する場合を例に説明したが、混色を用いて色補正プロファイルを生成してもよい。単色を用いて色補正プロファイルを生成すると、単色をより正しく印刷できるので、混色についてもより正しく補正できる。しかしながら、単色のみを用いて色補正プロファイルを生成する場合は混色を用いて生成する場合に比べて混色に対する補正精度が劣る。混色に対する補正精度をより向上させたい場合は、混色を用いて色補正プロファイルを生成すればよい。ただし、混色を用いると色補正プロファイルのデータ量が増大する上、色補正プロファイルの生成により多くの時間を要する。これに対し、単色のみを用いて色補正プロファイルを生成すると、色補正プロファイルのデータ量を低減できると共に、色補正プロファイルを短時間で生成できる。
【００４７】
なお、本発明は、上記実施形態に限定されるものではなく、その要旨を逸脱しない範囲で種々の実施形態に適用可能である。
【図面の簡単な説明】
【００４８】
【図１】本発明の実施形態に係る色補正の精度を示す画面の模式図。
【図２】本発明の実施形態に係る色補正プロファイル生成装置の模式図。
【図３】本発明の実施形態に係る色補正プロファイル生成装置のブロック図。
【図４】本発明の実施形態に係るカラーチャートを示す模式図。
【図５】本発明の実施形態に係る色再現性の補正について説明するための模式図。
【図６】本発明の実施形態に係るフローチャート。
【図７】本発明の実施形態に係るテーブルを示す模式図。
【図８】本発明の実施形態に係る色補正プロファイルを示す模式図。
【図９】本発明の実施形態に係る補正精度予測を示す画面の模式図。
【図１０】本発明の実施形態に係るフローチャート。
【符号の説明】
【００４９】
１０…パーソナルコンピュータ（色補正プロファイル生成装置）、１１…対象プリンタ（対象印刷装置）、１２…測色機、１３…基準プリンタ（基準印刷装置）、１４…測色機、２１…ＣＰＵ（記憶手段、取得手段、生成手段、推測手段、出力手段）、２２…ＲＯＭ
２３…ＲＡＭ、２４…ディスプレイコントローラ（出力手段）、２５…インタフェース部（取得手段）、２６…リムーバブルメモリコントローラ（取得手段）、２７…外部記憶部（記憶手段）、２８…操作部、２９…キーボード、３０…バス、３１…ディスプレイ（表示装置）、４５…カラーチャートデータ、４６…基準カラーチャート、４７…対象カラーチャート、５０…補正精度予測画面、５１…指針、６０…色補正の精度画面、６１…指針。
【図１】
2008060637.tif 000004
【図２】
2008060637.tif 000005
【図３】
2008060637.tif 000006
【図４】
2008060637.tif 000007
【図５】
2008060637.tif 000008
【図６】
2008060637.tif 000009
【図７】
2008060637.tif 000010
【図８】
2008060637.tif 000011
【図９】
2008060637.tif 000012
【図１０】
2008060637.tif 000013